(57)【要約】      （修正有）【課題】防振板による走行レールの保持を確実にして耐久性を高めた移動式パネルの支持構造を提供する。【解決手段】天井２にＣ型チャンネル状のハンガーレール３を架設し、このハンガーレール３の内側に走行レール６を設置し、この走行レール６上を走行ローラ７で走行する走行機８に、ハンガーレール３の底面開口部４から挿入した走行吊具２３を取付け、この下部に仕切パネル２６を取付け、これを移動させる移動式パネルの支持構造１において、走行レール６の走行面６Ａの上面中間部が露出するように、走行面６Ａの両端部と両側面および底面を囲むようにＣ型チャンネル状の防振板１２で支持した。【選択図】図１
2018204270.tif 000002
【特許請求の範囲】
【請求項１】
天井にＣ型チャンネル状のハンガーレールを架設し、このハンガーレールの内側に金属板で形成した走行レールを設置し、この走行レール上を走行ローラで走行する走行機に、前記ハンガーレールの底面開口部から挿入した走行吊具を取付け、この下部にパネルを取付けて、パネルを移動させる移動式パネルの支持構造において、前記走行レールの走行面の上面中間部が露出するように、走行面の両端部と両側面および底面を囲むようにＣ型チャンネル状の防振板で支持したことを特徴とする移動式パネルの支持構造。
【請求項２】
請求項１記載の移動式パネルの支持構造において、更にハンガーレールの内側面に、Ｃ型チャンネル状の防振板の一方の端部上面を押さえる押さえ突起を設けると共に、防振板の他方の端部の上面を押さえる押さえ突起を、ハンガーレールの底面開口部の左右に取付けた支持ブラケットに設けたことを特徴とする移動式パネルの支持構造。
【請求項３】
請求項１または２記載の移動式パネルの支持構造において、更に走行機が走行機本体ブロックに走行ローラを取付けて形成され、この走行機本体ブロックに設けた吊具挿着孔の底面に湾曲面を形成し、吊具挿着孔に挿着した走行吊具の先端にストッパーを設け、この底面を前記湾曲面と摺接する湾曲面を形成して、パネルを吊す走行吊具が前後左右に振れるようにしたことを特徴とする移動式パネルの支持構造。
【発明の詳細な説明】
【技術分野】
【０００１】
本発明は、パネルをハンガーレールに吊してパネルを移動させる大形移動間仕切や、大形移動扉などの移動式パネルの支持構造の改良に関するものである。
【背景技術】
【０００２】
一般に、ホテルなどにおいて結婚式場や会議場などを設営する時に、出席者の人数に合わせて、大きな会場を移動式パネルにより間仕切して必要な大きさに区分している。従来の移動式パネルの支持構造は、天井にＣ型チャンネル状のハンガーレールを架設し、このハンガーレールの内側に走行レールを設置し、この走行レール上を走行ローラで走行する走行機に、前記ハンガーレールの底面開口部から挿入した走行吊具を取付け、この下部に仕切りパネルを取付けて、パネルを移動させる構造（特許文献１）を先に開発した。
【０００３】
この仕切りパネルは、天井まで届く大型のもので、その重量も重く、走行ローラが走行レールを走行する時に振動や騒音が発生し、これがハンガーレールに伝達されて拡大され、更に大きな騒音となる問題を解決するため、走行レールの走行面を露出させて、この下部側を凹型の防振板に嵌入して支持し、騒音を低減させた構造となっていった。
【先行技術文献】
【特許文献】
【０００４】
【特許文献１】特開２００５−３３０７５１号公報
【発明の開示】
【発明が解決しようとする課題】
【０００５】
従来の移動式パネルの支持構造は、走行レールの下部側を凹型の防振板に嵌入して支持しているだけなので、長期間使用している間に走行レールが防振板から外れる恐れがあった。このため防振板による走行レールの保持を確実にして耐久性を高めた移動式パネルの支持構造を提供するものである。
【課題を解決するための手段】
【０００６】
本発明の請求項１記載の移動式パネルの支持構造は、天井にＣ型チャンネル状のハンガーレールを架設し、このハンガーレールの内側に金属板で形成した走行レールを設置し、この走行レール上を走行ローラで走行する走行機に、前記ハンガーレールの底面開口部から挿入した走行吊具を取付け、この下部にパネルを取付けて、パネルを移動させる移動式パネルの支持構造において、前記走行レールの走行面の上面中間部が露出するように、走行面の両端部と両側面および底面を囲むようにＣ型チャンネル状の防振板で支持したことを特徴とするものである。
【０００７】
本発明の請求項２記載の移動式パネルの支持構造は、請求項１において、更にハンガーレールの内側面に、Ｃ型チャンネル状の防振板の一方の端部上面を押さえる押さえ突起を設けると共に、防振板の他方の端部の上面を押さえる押さえ突起を、ハンガーレールの底面開口部の左右に取付けた支持ブラケットに設けたことを特徴とするものである。
【０００８】
本発明の請求項３記載の移動式パネルの支持構造は、請求項１または２において、更に走行機が走行機本体ブロックに走行ローラを取付けて形成され、この走行機本体ブロックに設けた吊具挿着孔の底面に湾曲面を形成し、吊具挿着孔に挿着した走行吊具の先端にストッパーを設け、この底面を前記湾曲面と摺接する湾曲面を形成して、パネルを吊す走行吊具が前後左右に振れるようにしたことを特徴とするものである。
【発明の効果】
【０００９】
本発明に係る請求項１記載の移動式パネルの支持構造によれば、金属板で形成された走行レールが、その上面の走行面の中間部が露出するように、走行面の両端部と両側面および底面を囲むようにゴムで形成されたＣ型チャンネル状の防振板で支持されているので、防振板の外れ、すなわち走行レールの外れを防止した構造となり、長期間にわたって走行レールの保持を確実にして耐久性を高めることができる。
【００１０】
また請求項２記載の移動式パネルの支持構造によれば、金属板で形成された走行レールが、ゴムで形成されたＣ型チャンネル状の防振板で支持され、更に防振板の一方の端部上面をハンガーレールの内側面に横方向に突設した押さえ突起で押さえ、他方の端部上面を、上部のチャンネル部のハンガーレールの内側に横方向に突設した押さえ突起で押さえた構造となっているので、防振板の外れ、すなわち走行レールの外れを防止した構造となり、長期間にわたって走行レールの保持を確実にして耐久性を高めることができる。
【００１１】
また請求項３記載の移動式パネルの支持構造によれば、走行機の走行機本体ブロックの中央に開孔した吊具挿着孔の底面に湾曲面が形成され、これと摺接する湾曲面を形成したストッパーが走行吊具の上部に接続されているので、ここに吊り下げた仕切りパネルを移動中に、これが前後左右に振れるが、この振れを摺動面で吸収するので走行機の走行ローラから走行レールの走行面に垂直な荷重が加わり、走行レールの外れを防止することができる。
【図面の簡単な説明】
【００１２】
【図１】本発明の実施の一形態による移動式パネルの支持構造の正面断面図である。
【図２】図１の要部を拡大して示す正面断面図である。
【図３】図１の移動式パネルの支持構造の側面図である。
【図４】図１の走行機を示す平面図である。
【発明を実施するための最良の形態】
【００１３】
以下本発明の実施の一形態を図１ないし図４を参照して詳細に説明する。図において１は移動式パネルの支持構造を示すもので、２は天井、３は天井２に架設したハンガーレールである。このハンガーレール３はアルミニウムの押出形材でＣ型チャンネル状に形成されている。
【００１４】
このハンガーレール３の内側には底面開口部４を挟んで２本の走行レール６が平行に設置され、この走行レール６の上をベアリングで形成された走行ローラ７で走行機８が走行するようになっている。この走行機８は図４に示すように、走行機本体ブロック９の左右両側に走行ローラ７が３個ずつ取付けられ、更に底面に２個のガイドローラ１０が水平に取付けられている。
【００１５】
前記走行レール６は、図２に示すようにステンレスなどの金属板で形成され、その上面の走行面６Ａの中間部が露出するように、走行面６Ａの両端部と両側面および底面を囲むようにゴムで形成されたＣ型チャンネル状の防振板１２で支持されている。
【００１６】
またハンガーレール３の底面開口部４の両側には支持ブラケット１４が取付けられている。この支持ブラケット１４はアルミニウムの押出形材で形成されたチャンネル部１４Ａと、この下部の底面開口部４側に設けたアングル部１４Ｂとで一体に構成されている。このアングル部１４Ｂが天井ボード１６の支持部となっている。
【００１７】
走行レール６を支持するＣ型チャンネル状の前記防振板１２は、ハンガーレール３の内側面に横方向に突設した押さえ突起１７で、防振板１２の一方の端部上面を押さえると共に、他方の端部の上面を、支持ブラケット１４の上部のチャンネル部１４Ａのハンガーレール３の内側に横方向に突設した押さえ突起１８で押さえた構造となって、防振板１２の外れ、すなわち走行レール６の外れを防止した構造となっている
【００１８】
更に走行機８の走行機本体ブロック９の中央には、図４に示すように円形の吊具挿着孔２０が開孔され、その底面に図１に示すように湾曲面２１が形成されている。この湾曲面２１の中央に、走行吊具２３の上端が設けられ、ここに底面が前記湾曲面２１と摺接する湾曲面２４を形成したストッパー２５が接続されている。したがって仕切りパネル２６を吊り下げた走行吊具２３は、先端のストッパー２５が湾曲面２１を摺接することにより、図１に仮想線で示すように前後左右に振れることができるようになっている。
【００１９】
なおチャンネル部１４Ａの端部にはハンガーレール３の外側面を挟み付ける立ち上がり突起２７と、チャンネル部１４Ａの底面開口部４側の内面には上部開口部３と嵌合する嵌合突起２８とが設けられて、支持ブラケット１４の外れを防止するようになっている。
【００２０】
上記構成の移動式パネルの支持構造１は、ハンガーレール３の内側に防振板１２で支持した走行レール６を挿入し、その後、ハンガーレール３の底面開口部４から支持ブラケット１４を挿入して勘合させことにより組立てられる。
【００２１】
このように金属板で形成された走行レール６が、その上面の走行面６Ａの中間部が露出するように、走行面６Ａの両端部と両側面および底面を囲むようにゴムで形成されたＣ型チャンネル状の防振板１２で支持され、更に防振板１２の一方の端部上面をハンガーレール３の内側面に横方向に突設した押さえ突起１７で押さえ、他方の端部上面を、上部のチャンネル部１４Ａのハンガーレール３の内側に横方向に突設した押さえ突起１８で押さえた構造となっているので、防振板１２の外れ、すなわち走行レール６の外れを防止した構造となり、長期間にわたって走行レール６の保持を確実にして耐久性を高めることができる。
【００２２】
更に走行機８の走行機本体ブロック９の中央に開孔した吊具挿着孔２０の底面に湾曲面２１が形成され、これと摺接する湾曲面２４を形成したストッパー２５が走行吊具２３の上部に接続されているので、ここに吊り下げた仕切りパネル２６を移動中に、これが前後左右に振れるが、この振れを摺動面で吸収するので走行機８の走行ローラからは、走行レール６の走行面６Ａに垂直な荷重が加わり、走行レール６の外れを防止することができ。
【００２３】
なお上記説明では走行機８に６個の走行ローラ７を取付けた場合について説明したが４個または８個設けた構造でも良い。
【産業上の利用可能性】
【００２４】
なお上記説明では手動で押して移動させるパネルの場合について示したが、電動で移動させるパネルにも適用することができる。また本発明は大きな会場を移動式パネルにより間仕切りして小さく区分する場合や、パネルを収納して広くして使用するなど会場の大きさを変更する場合に限らず、大きな倉庫の外部と室内を仕切る扉として、横方向にスライドするパネルを用いた構造の場合にも適用することができる。
【符号の説明】
【００２５】
１    移動式パネルの支持構造                                
２    天井                                                  
３    ハンガーレール                                        
４    底面開口部                                            
６    走行レール                                            
６Ａ  走行面                                                
７    走行ローラ                                            
８    走行機                                                
９    走行機本体ブロック                                    
１０  ガイドローラ                                          
１２  防振板                                                
１４  支持ブラケット                                        
１４Ａ  チャンネル部                                        
１４Ｂ  アングル部                                          
１６  天井ボード                                            
１７  押さえ突起                                            
１８  押さえ突起                                            
２０  吊具挿着孔                                            
２１  湾曲面                                                
２３  走行吊具  
２４  湾曲面      
２５  ストッパー    
２６  仕切りパネル                    
２７  立ち上がり突起  
２８  嵌合突起  
【図１】
2018204270.tif 000003
【図２】
2018204270.tif 000004
【図３】
2018204270.tif 000005
【図４】
2018204270.tif 000006
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
天井にＣ型チャンネル状のハンガーレールを架設し、前記ハンガーレールの内側に金属板で形成した走行レールを設置し、前記走行レール上を走行ローラで走行する走行機に、前記ハンガーレールの底面開口部から挿入した走行吊具を取付け、前記走行吊具の下部にパネルを取付けて、前記パネルを移動させる移動式パネルの支持構造において、前記走行レールの長手方向に沿った走行面の両端部と、前記長手方向に沿った前記走行レールの両側面と、前記走行レールの底面と、を囲むように前記走行レールをＣ型チャンネル状の防振板で支持し、前記ハンガーレールの内側面に、前記防振板の一方の端部の上面を押さえる押さえ突起を設けると共に、前記防振板の他方の端部の上面を押さえる押さえ突起を、前記ハンガーレールの底面開口部に取付けた支持ブラケットに設けたことを特徴とする移動式パネルの支持構造。
【請求項２】
請求項１記載の移動式パネルの支持構造において、前記走行機が走行機本体ブロックに前記走行ローラを取付けて形成され、前記走行機本体ブロックに設けた吊具挿着孔の底面に湾曲面を形成し、前記吊具挿着孔に挿着した前記走行吊具の先端にストッパーを設け、前記ストッパーの底面に前記湾曲面と摺接する湾曲面を形成して、前記走行吊具が前後左右に振れるようにしたことを特徴とする移動式パネルの支持構造。